(57)【特許請求の範囲】
【請求項１】
前後一対の縦材とこの縦材間に連結した横架材とからなる建枠を横方向に複数起立し、隣同士の左右の横架材間に足場板を架設し、隣同士の左右の縦材間に左右の縦方向支柱とこの縦方向支柱間に連結した横方向手摺枠とからなる手摺を架設して構成した足場枠を上下方向に一つ又は複数組段組してなる枠組み足場において、各縦方向支柱は横架材又は縦材に取付ける第１の取付部材と、縦材に取付ける第２の取付部材と、手摺枠の端部を取付ける第３の取付部材とを備え、左側の縦方向支柱における第１の取付部材を介して当該左側の縦方向支柱を左側の縦材に結合する工程と、同じく第２の取付部材を介して当該左側の縦方向支柱を左側の縦材に結合する工程と、手摺枠の左端を第３の取付部材を介して上記左側の縦材に回転自在に結合する工程と、手摺枠の右端を右側の縦方向支柱における第３の取付部材に回転自在に結合する工程と、上記手摺枠の左端を支点にして回転しながら右側の縦方向支柱を上方に持ち上げる工程と、右側の縦方向支柱における第１の取付部材を介して当該右側の縦方向支柱を右側の縦材又は横架材に固定する工程と、同じく右側の縦方向支柱を第２の取付部材を介して右側の縦材に結合する工程、とからなる枠組み足場における手摺の取付方法。
【請求項２】
第１の取付部材は縦方向支柱に固定した略々コ字状に板材を折り曲げたブラケットと、ブラケットの下端に形成して縦材の外面に係合する抱持溝とこの抱持溝と対向する突起と、同じくブラケットの下端に形成して横架材の上面に嵌合する係合溝とで構成されている請求項１の枠組足場における手摺の取付方法。
【請求項３】
ブラケットの外面に巾木を取付ける係止ピン又は長孔と、巾木の上方への抜けを規制するストッパとが設けられている請求項２の枠組足場における手摺の取付方法。
【請求項４】
第１の取付部材は縦方向支柱に横方向に向けて結合した支持板と、支持板の側部に形成して縦材の外面に係合する抱持溝と、支持板の外端に結合されて横架材の上面に係合する係合溝を有する係止板と、係止板に設けられたガイドと、ガイド内に挿入されて上記係合溝に対向する楔とを備えている請求項１の枠組足場における手摺の取付方法。
【請求項５】
第１の取付部材は縦方向支柱の中間に横方向に向けて結合した支持桿と、支持桿の端部に下方に向けて設けられて縦材側のソケットに嵌合するフックとからなる請求項１の枠組足場における手摺の取付方法。
【請求項６】
第２の取付部材は縦方向支柱に横方向に向けて取付けた板状ブラケットと、ブラケットの外面に形成して縦材の外面に係合する抱持溝と、ブラケットの外端に設けたガイドと、ガイド内に挿入して上記抱持溝と対向する楔とからなる請求項１の枠組足場における手摺の取付方法。
【請求項７】
第２の取付部材は縦方向支柱の下部に横方向に向けて結合した支持桿と、支持桿の端部に下方に向けて設けられて縦材側のソケットに嵌合するフックとからなる請求項１の枠組足場における手摺の取付方法。
【請求項８】
第３の取付部材は縦方向支柱に横方向に向けて設けられ、手摺枠の端部に形成した長孔に嵌合する係止ピンで構成されている請求項１の枠組足場における手摺の取付方法。
【請求項９】
係止ピンはピン本体と、ピン本体の端部に固定したフランジとナットとで構成され、長孔は上記フランジの巾とほぼ等しく、且つ断面コ字状又はＵ字状の深い溝と横方向の長い溝とで構成され、上記深い溝を介してフランジを挿入してピン本体を長孔に貫通させ、次いで、ピン本体を長い溝側に移動させて抜けないようにしている請求項８の枠組足場における手摺の取付方法。
【発明の詳細な説明】
【０００１】
【発明の属する技術分野】
本発明は、建築現場，土木工事場で使用される足場装置又は支保工としての枠組足場における手摺の取付方法に関する。
【０００２】
【従来の技術】
一般に建物の建築現場，土木工事現場では足場装置又は支保工として利用される枠組足場が設置されている。
【０００３】
この枠組足場は縦材と横架材とからなる建枠を横方向に複数起立させ、隣接する横架材間に足場板を架設し、同じく縦材間に縦方向支柱と横方向手摺枠とからなる手摺を架設した足場枠を上下方向に一つ又は複数組段組して構成している。この場合縦材間に手摺を連結体として利用した枠組足場として例えば特開平７−２７９４０２号公報に開示したものが開発されている。
【０００４】
この手摺は両側の縦杆と、両縦杆の上端を連結する水平の手摺杆と、両縦杆の中間を連結する水平の手摺杆と、縦杆の上下位置に設けた取付金具とを一体に形成し、当該手摺を取付金具を介して縦材に結合させるものである。
【０００５】
【発明が解決しようとする課題】
上記の従来の枠組足場によれば、縦材間に足場板に対応して手摺が設けられているので安全性が確保される反面次のような不具合がある。
【０００６】
第１に、両縦杆と上下の手摺杆とが一体成形されている為に重量が重く、縦材間に手摺を架設する作業が困難であり、面倒であり、１人では取付作業が出来ない場合もあり、着脱の作業性が著しく低下する。
【０００７】
第２に、手摺自体が大型となり、嵩張るために搬送や格納が不便であり、格納スペースに制約を受ける。
【０００８】
第３に、縦材が組付けられた後に一体で大型の手摺をこの縦材に取付ける際に、縦材間のスペースに制約され、手摺をいろいろな方向に向きを変えられないので縦材に対する取付けが困難で面倒である。
【０００９】
そこで、本発明の目的は、縦材と横架材とからなる建枠に対して簡単且つスムースに取付け又は取はずし出来、設置スペースに制約されず自由に位置合せが可能であり、搬送や格納が容易で軽量化が図れる枠組足場における手摺の取付方法を提供することである。
【００１０】
【課題を解決するための手段】
上記の目的を達成するため、本発明の手摺の取り付け方法は、 前後一対の縦材とこの縦材間に連結した横架材とからなる建枠を横方向に複数起立し、隣同士の左右の横架材間に足場板を架設し、隣同士の左右の縦材間に左右の縦方向支柱とこの縦方向支柱間に連結した横方向手摺枠とからなる手摺を架設して構成した足場枠を上下方向に一つ又は複数組段組してなる枠組み足場において、各縦方向支柱は横架材又は縦材に取付ける第１の取付部材と、縦材に取付ける第２の取付部材と、手摺枠の端部を取付ける第３の取付部材とを備え、左側の縦方向支柱における第１の取付部材を介して当該左側の縦方向支柱を左側の縦材に結合する工程と、同じく第２の取付部材を介して当該左側の縦方向支柱を左側の縦材に結合する工程と、手摺枠の左端を第３の取付部材を介して上記左側の縦材に回転自在に結合する工程と、手摺枠の右端を右側の縦方向支柱における第３の取付部材に回転自在に結合する工程と、上記手摺枠の左端を支点にして回転しながら右側の縦方向支柱を上方に持ち上げる工程と、右側の縦方向支柱における第１の取付部材を介して当該右側の縦方向支柱を右側の縦材又は横架材に固定する工程と、同じく右側の縦方向支柱を第２の取付部材を介して右側の縦材に結合する工程、とからなることを特徴とするものである。
【００１１】
この場合、第１の取付部材は支柱に固定した略々コ字状に板材を折り曲げたブラケットと、ブラケットの下端に形成して縦材の外面に係合する抱持溝とこの抱持溝と対向する突起と、同じくブラケットの下端に形成して横架材の上面に嵌合する係合溝とで構成されているのが好ましい。そして、ブラケットの外面に巾木を取付ける係止ピン又は長孔と、巾木の上方への抜けを規制するストッパとが設けられていても良い。
【００１２】
更に上記の手段において、第１の取付部材は支柱に横方向に向けて結合した支持板と、支持板の側部に形成して縦材の外面に係合する抱持溝と、支持板の外端に結合されて横架材の上面に係合する係合溝を有する係止板と、係止板に設けられたガイドと、ガイド内に挿入されて上記係合溝に対向する楔とを備えていても良い。
【００１３】
同じく、第１の取付部材は支柱の中間に横方向に向けて結合した支持桿と、支持桿の端部に下方に向けて設けられて縦材側のソケットに嵌合するフックとからなるものであっても良い。
【００１４】
同じく、第２の取付部材としては支柱に横方向に向けて取付けた板状ブラケットと、ブラケットの外面に形成して縦材の外面に係合する抱持溝と、ブラケットの外端に設けたガイドと、ガイド内に挿入して上記抱持溝と対向する楔とからなるのが好ましい。同じく、第２の取付部材は支柱の下部に横方向に向けて結合した支持桿と、支持桿の端部に下方に向けて設けられて縦材側のソケットに嵌合するフックとからなるものである。
【００１５】
更に、第３の取付部材は支柱に横方向に向けて設けられ、手摺枠の端部に形成した長孔に嵌合する係止ピンで構成されているのが好ましい。
この場合、係止ピンはピン本体と、ピン本体の端部に固定したフランジとナットとで構成され、長孔は上記フランジの巾とほぼ等しく、且つ断面コ字状又はＵ字状の深い溝と横方向の長い溝とで構成され、上記深い溝を介してフランジを挿入してピン本体を長孔に貫通させ、次いで、ピン本体を長い溝側に移動させて抜けないようにしているのが好ましい。
【００１６】
【発明の実施の形態】
以下、本発明の実施の形態を図にもとづいて説明する。
【００１７】
本発明に係る実施の形態は図１乃至図１６に示す第１のパターンであり、参考例として、図１７乃至図２０に示す第２のパターンと、図２１に示す第３のパターンがある。
【００１８】
各実施の形態と参考例に係る手摺の取付方法に利用される手摺の取付装置の基本的な構成は、それぞれ図１、図１６、図１７、図２１に示すように、縦材１と横架材２とからなる建枠３を横方向に複数起立し、各横架材２間に足場板４を架設し、各縦材３，３間に縦方向支柱５と横方向手摺枠６とからなる手摺７を架設した足場枠８を上下方向に一つ又は複数組段組してなる枠組足場に使用するものであり、上記縦方向支柱５は横架材２又は縦材１に取付ける第１の取付部材Ａと、縦材１の下部に取付ける第２の取付部材Ｂと、手摺枠６の端部を縦方向支柱５に取付ける第３の取付部材Ｃとを備え、第１，第２の取付部材Ａ，Ｂを介して縦方向支柱５を建枠３に取付け、次いで手摺枠６を第３の取付部材Ｃを介して縦方向支柱５に取付けることを特徴とするものである。
【００１９】
以下、実施の形態に係わる手摺の取付装置とこれを利用した手摺の取付方法を図１乃至図１６にもとづいて説明する。
この手摺の取付方法の工程は、図１乃至図６に示されている。
これは、前後一対の縦材５とこの縦材５間に連結した横架材２とからなる建枠３を横方向に複数起立し、隣同士の左右の横架材２，２間に足場板４を架設し、隣同士の左右の縦材１，１間に左右の縦方向支柱５，５とこの縦方向支柱５，５間に連結した横方向手摺枠６とからなる手摺７を架設して構成した足場枠６を上下方向に一つ又は複数組段組してなる枠組み足場に適用される。
そして、各縦方向支柱５は横架材２又は縦材１に取付ける第１の取付部材Ａと、縦材１に取付ける第２の取付部材Ｂと、手摺枠６の端部を取付ける第３の取付部材Ｃとを備え、左側の縦方向支柱５における第１の取付部材Ａを介して当該左側の縦方向支柱５を左側の縦材１に結合する工程と、同じく第２の取付部材Ｂを介して当該左側の縦方向支柱５を左側の縦材１に結合する工程と、手摺枠６の左端を第３の取付部材Ｃを介して上記左側の縦材１に回転自在に結合する工程と、手摺枠６の右端を右側の縦方向支柱５における第３の取付部材Ｃに回転自在に結合する工程と、上記手摺枠６の左端を支点にして回転しながら右側の縦方向支柱５を上方に持ち上げる工程と、右側の縦方向支柱５における第１の取付部材Ａを介して当該右側の縦方向支柱５を右側の縦材１又は横架材２に固定する工程と、同じく右側の縦方向支柱５を第２の取付部材Ｂを介して右側の縦材１に結合する工程、とからなるものである。
第１の取付部材Ａとしては図１１、図１８、図２１に示すものが使用できる。
第２の取付部材Ｂとしては、図１２、図１９、図２１に示すものが使用できる。
第３の取付部材Ｃとしては、図１３乃至図１５に示すものが使用できる。
以下詳細に説明する。
【００２０】
建枠３は公知のように、縦方向に起立する前後一対の縦材１，１と、縦材１，１間に水平に結合した横架材２とからなり、図１、図１６に示すように、横架材２にはフック９を介して足場板４が左右の横方向に架設されている。更に各建枠３における左右の縦材１間には手摺７が横方向に架設され、この手摺７は左右一対の縦方向支柱５，５と、縦方向支柱５，５間に着脱自在に架設した横方向手摺枠６とで構成されている。そして建枠３と足場板４と手摺７とで足場枠８を構成し、この足場枠８を横方向と上下方向に一つ又は複数段組して建築足場や土木工事現場に配置する足場装置又は支保工として使用する枠組足場を構成している。
【００２１】
上記の枠組足場では手摺７を設けることによって安全性を図っているが、足場板４の片側又は両側に形成される隙間を塞ぐ巾木１０を設けるのが好ましい。例えば図１６に示すように、巾木１０は縦方向に起立する板状の巾木本体１１と巾木本体１１の下部に水平方向に向けて設けた隙間塞ぎ板１２とからなり、足場板４の側部に配置した巾木１０を後述する第１の取付部材Ａを介して手摺７の縦方向支柱５と建枠３の横架材２に結合し、これにより隙間塞ぎ板１２を足場板４の上面に当接させている。
【００２２】
この場合、第１の取付部材Ａは後述するように、係止ピン１３とストッパＳとを備え、巾木１０は巾木本体１１の端部に形成した長孔１４を備え、係止ピン１３を長孔１４内に嵌合させながら巾木本体１１を下降させることによりこの係止ピン１３と長孔１４とで巾木１０を取付け、更にストッパＳによって巾木１０が上方に抜け出るのを防止させている。
【００２３】
次に、図１乃至図１６に示す第１のパターンに係る手摺取付装置の実施の形態について詳しく説明する。
【００２４】
この実施の形態に係る単一の手摺７は、図１、図９、図１０に示すように、左右一対の縦方向支柱５，５と、各縦方向支柱５，５間に横方向に向けて着脱自在に結合した横方向手摺枠６とからなっている。手摺枠６は一本の支柱からなるものであっても良いが、上下二本の支柱６ａ，６ｂと、支柱６ａ，６ｂの中間に縦方向に架設して端部を回転自在に軸支させた連結材６ｃとからなり、各支柱６の両端にはＴ字状の長孔１５が形成されている。他方、縦方向支柱５には前記長孔１５を嵌合させる上下一対の係止ピン１６，１６が突設され、この係止ピン１６が第３の取付部材Ｃを構成している。
【００２５】
更に縦方向支柱５のほぼ中間に第１の取付部材Ａと下部の第２の取付部材Ｂとを備え、縦方向支柱５は縦材１を抱み込みながら横架材２に第１の取付部材Ａを介して結合し、同じく縦方向支柱５の下部は、第２の取付部材Ｂを介して縦材１に結合されている。
【００２６】
手摺枠６と一対の縦支柱支柱５，５とはあらかじめ分離されており、両者を結合する場合には、先ず一方の縦方向支柱５に対して係止ピン１６に長孔１５を嵌合させながら手摺枠６の片側を斜め方向から結合し、次いで、この係止ピン１６を支点にして手摺枠６を回転しながらこの手摺枠６の他端を他方の縦方向支柱５に対して係止ピン１６と長孔１５を介して結合させるものである。
【００２７】
図９乃至図１１に示すように、第１の取付部材Ａは縦方向支柱５に溶接等で固定した略々コ字状に板材を折り曲げたブラケット１７とブラケット１７の下端に形成して縦材１の外面に係合する抱持溝１８と、同じくブラケット１７の下端に形成して横架材２の上面に嵌合する係合溝１９と、ブラケット１７の内周面に突出して上記抱持溝１８と対向する突起２０とで構成されている。ブラケット１７は縦材１を抱み込むと共に抱持溝１８と突起２０とで縦材１を挾持してガタの発生を防止している。同じくブラケット１７は係合溝１９を介して横架材２に嵌合することで下方への移動を防止している。
【００２８】
ブラケット１７の外面に巾木１０を取付ける係止ピン１３と、巾木１０の上方への抜けを規制するストッパＳとが設けられている。係止ピン１３は巾木１０側に設け、ブラケット１７に係止ピン１３が嵌合する長孔を設けても良い。
【００２９】
ストッパＳはブラケット１７の表面に起立する上下二つのガイド片２１，２１と、ガイド片２１，２１に上下方向及び回転自在移動に挿入したガイドロッド２２と、ガイドロッド２２の上端に設けた係止片２３と、ガイドロッド２２の下部に突設したストップピン２４とからなり、図１６に示すように、係止ピン１３を介して巾木１０を装着した時に係止片２３を回転して巾木１０における巾木本体１１の上端に結合させるものである。これにより外力で巾木１０が上方に移動した時係止ピン２４が下方のガイド片２１に係合し、巾木１０が上方に抜け出るのを防止している。
【００３０】
ブラケット１７に設けた突起２０は当該ブラケット１７を一部切欠き、切欠片を内側に折り曲げて形成しているが、突起部材を溶接等で結合させても良い。縦方向支柱５の下部に設けた第２の取付部材Ｂは図１２に示すように、縦方向支柱５に横方向に向けて溶接等で取付けた板状ブラケット２４と、ブラケット２４の外面に形成して縦材１の外面に係合する抱持溝２５と、ブラケット２４の外端に設けたガイド２６と、ガイド２６内に挿入して上記抱持溝２５と対向する楔とからなるものである。これにより抱持溝２５を介してブラケット２４を縦材１に当てがい、楔２７を打ち込んで、この楔２７と抱持溝２５とで縦材１を挾持し、縦方向支柱５を縦材１に沿って結合させるものである。
【００３１】
すでに説明したように、第３の取付部材Ｃは係止ピン１６からなるものであるが、長孔１５と係止ピン１６とは図１３乃至図１５に示す構造に形成するのが好ましい。
【００３２】
図１３，図１４の係止ピン１６はピン本体１６ａと、ピン本体１６ａの端部に固定したフランジ１６ｂとナット１６ｃとで構成されている。この場合、フランジ１６ｂは方形に形成させれおり、しかも縦方向支柱５の軸線に対して４５度傾斜させて設定してある。長孔１５はフランジ１６ｂの巾とほぼ等しく、且つ断面コ字状又はＵ字状の深い溝１５ａと横方向の長い溝１５ｂとで構成されている。係止ピン１６は深い溝１５ａを介してフランジ１６ｂを挿入し、その後ピン本体１６ａを長い溝１５ｂ側に移動させて抜けないようにしている。
【００３３】
ところで、フランジ１６ｂを長孔１５内に挿入する時手摺枠６を４５度傾斜させ、長孔１５の角度をフランジ１６ｂの角度に合せて行う。そして長孔１５内にフランジ１６ｂが挿入した後に手摺枠６を回転させるとフランジ１６ｂから手摺枠６が抜けなくなる。更に図１５の他の実施の形態に示すように、フランジ１６ｂとナット１６ｃはピン本体１６ａに着脱自在に結合させても良い。この場合は、手摺７を組付けた後にフランジ１６ｂとナット１６ｃをはずし、手摺枠６を単独ではずすことができるようになっている。
【００３４】
次に第１のパターンに係る手摺の取付装置を使用した枠組足場、特に手摺の取付方法の工程を図１乃至図８にもとづいて説明する。
【００３５】
図１、図２はすでに下段の足場枠８が組立てられており、この足場枠８の上方に上段の他の足場枠８を組付ける初期の状態を示す。この状態では作業者が足場板４上で手摺７の一方の縦方向支柱５を縦材１に第１，第２の取付装置Ａ，Ｂを介して結合させる。
【００３６】
次に図３に示すように、左方の縦方向支柱５の係止ピン１６に対し手摺枠６の左側を長孔１５を介して引掛けて結合する。
【００３７】
次に図４に示すように、足場板４上で手摺枠６の右側を他方の縦方向支柱５に対して係止ピン１６と長孔１５とを介して結合し、更に図５、図６に示すように、右側の縦方向支柱５を持って左側の係止ピン１６を支点に手摺枠６を回転して上方に持ち上げ、次いで右側の縦方向支柱５を第１，第２の取付部材Ａ，Ｂを介して縦材１に固定する。更に図７に示すように、下方の足場板４上で上段の足場板４を持ち上げ、この足場板４を建枠３の横架材２に引掛けて装着させる。図７では上下方向に段組した枠組足場が構成されるが、上記と同じ方法で上下方向と横方向にも足場枠８を組付けて図８に示す大型の枠組足場を構成させることができる。
【００３８】
上記のように手摺７を組付ける場合、縦方向支柱５と手摺枠６とが分離されているので一つ一つを独立して順次組付けて行くことができ、重量が軽く、搬送が容易であり、作業性が向上する。更に縦方向支柱５や手摺枠６は縦材１，１間のスペースが狭くても簡単に向きを変えられ、作業スペースの制約を受けることなく取付作業が行なえるものである。
【００３９】
次に図１７乃至２０の参考例に係わる枠組足場では、足場枠８は建枠３と手摺７と足場板４とからなる点は図１の場合と同じであるが、手摺７を構成する手摺枠を図２０に示す親綱３０として構成したものである。そして、これらの手摺７を取付ける第１，第２，第３の取付部材を変更したものである。
【００４０】
図１７の手摺７に使用する第１の取付部材Ａは図１７，図１８に示すように、縦方向支柱５に横方向に向けて結合した支持板３１と、支持板３１の側部に形成して縦材１の外面に係合する抱持溝３２と、支持板３１の外端に結合されて横架材２の上面に係合する係合溝３３を有する係止板３４と、係止板３４に設けられたガイド３５と、ガイド３５内に挿入されて上記係合溝３３に対向する楔３６とを備えているものである。これにより抱持溝３２を縦材１の外面に嵌合し、横架材２を上下から係合溝３３と楔３６とで挾持し、支持板３１を介して縦方向支柱５を建枠３に結合するものである。
【００４１】
同じく、図２１の手摺７に使用する第１の取付部材Ａは縦方向支柱５の中間に横方向に向けて結合した支持桿３７と、支持桿３７の端部に下方に向けて設けられて縦材１側のソケット３８に嵌合するフック３９とからなるものである。そしてフック３９をソケット３８内に嵌合することによって縦材１に沿って手摺７の縦方向支柱５を起立させる。
【００４２】
更に図１７の手摺７に使用する第２の取付部材Ｂは図１９に示すように、縦方向支柱５に横方向に向けて取付けた板状ブラケット４０と、ブラケット４０の外面に形成して縦材１の外面に係合する抱持溝４１と、ブラケット４０の外端に設けたガイド４２と、ガイド４２内に挿入して上記抱持溝４１と対向する楔４３とからなるものである。これにより、抱持溝４１と楔４３とで縦材１を挾持し、ブラケット４０を介して支柱５を保持して縦方向支柱５の転倒とガタの発生を防止する。
【００４３】
同じく、図２１の手摺７に使用する第２の取付部材Ｂは支柱の下部に横方向に向けて結合した支持桿４４と、支持桿４４の端部に下方に向けて設けられて縦材１側のソケット４５に嵌合するフック４６とからなるものである。そしてフック４６をソケット４５内に嵌合することにより縦方向支柱５の転倒とガタの発生を防止している。
【００４４】
同じく、図１７と図２１の手摺７に使用する第３の取付部材Ｃは縦方向支柱５の上端設けられて手摺枠６を構成するロープからなる親綱３０を挿入するリング又は半円状の合口リング４４からなるものである。
【００４５】
図１７，図１２に示す手摺７も先に述べた場合と同じく、縦方向支柱５を縦材１に結合し、次いで親綱３０をこの支柱５に装着するものである。
【００４６】
【発明の効果】
本発明によれば、次の効果がある。
【００４７】
(1) 各請求項の発明によれば、本発明の方法の実施に使用される手摺が縦方向支柱と手摺枠とで独立して構成されているので、それぞれ独立して縦方向支柱を建枠に対して取付けでき、後から手摺枠を縦方向支柱に取付けできる。この際、縦方向支柱と手摺枠とが独立していて軽量化が図れるのでそれぞれの取付け、取りはずし作業が容易であり、スピートアップが図れる。
【００４８】
(2) 同じく、搬送，格納に際して独立して行なえるので嵩ばらず、コンパクトに収容でき、設置スペースの制約を受けない。同様に狭いスペースでも自由に向きを変えられ、縦材と縦材との間が狭くても手摺枠を簡単に縦方向支柱に取付けできる。
【図面の簡単な説明】
【図１】  本発明の一実施の形態に係る手摺の取付装置を利用した枠組足場の略示す正面図である。
【図２】  手摺の取付工程を示す枠組足場の正面図である。
【図３】  手摺の取付工程を示す枠組足場の正面図である。
【図４】  手摺の取付工程を示す枠組足場の正面図である。
【図５】  手摺の取付工程を示す枠組足場の正面図である。
【図６】  手摺の取付工程を示す枠組足場の正面図である。
【図７】  手摺の取付工程を示す枠組足場の正面図である。
【図８】  手摺の取付工程を示す枠組足場の正面図である。
【図９】  手摺用支柱の拡大正面図である。
【図１０】  同じく支柱の拡大側面図である。
【図１１】  第１の取付部材の拡大斜視図である。
【図１２】  第２の取付部材の斜視図である。
【図１３】  第３の取付部材の斜視図である。
【図１４】  図１３の正面図である。
【図１５】  他の第２の取付部材の斜視図である。
【図１６】  第１の取付部材に巾木を取付けた状態の斜視図である。
【図１７】  参考例に係る手摺の略示側面図である。
【図１８】  図１７の手摺における第１の取付部材の拡大斜視図である。
【図１９】  同じく第２の取付部材の拡大斜視図である。
【図２０】  同じく第３の取付部材の拡大斜視図である。
【図２１】  他の参考例に係る手摺の斜視図である。
【符号の説明】
１ 縦材
２ 横架材
３ 建枠
４ 足場板
５ 縦方向支柱
６ 手摺枠
７ 手摺
８ 足場枠
１０ 巾木
１３ 係止ピン
１７ ブラケット
１８ 抱持溝
１９ 係合溝
２０ 突起
Ａ 第１の取付部材
Ｂ 第２の取付部材
Ｃ 第３の取付部材
Ｓ ストッパ
【図１】
0004683595.tif 000002
【図２】
0004683595.tif 000003
【図３】
0004683595.tif 000004
【図４】
0004683595.tif 000005
【図５】
0004683595.tif 000006
【図６】
0004683595.tif 000007
【図７】
0004683595.tif 000008
【図８】
0004683595.tif 000009
【図９】
0004683595.tif 000010
【図１０】
0004683595.tif 000011
【図１１】
0004683595.tif 000012
【図１２】
0004683595.tif 000013
【図１３】
0004683595.tif 000014
【図１４】
0004683595.tif 000015
【図１５】
0004683595.tif 000016
【図１６】
0004683595.tif 000017
【図１７】
0004683595.tif 000018
【図１８】
0004683595.tif 000019
【図１９】
0004683595.tif 000020
【図２０】
0004683595.tif 000021
【図２１】
0004683595.tif 000022